(57)【要約】【課題】  この発明は教育に適した漢字入力方法を提供する。【解決手段】  この方法は、まず、入力する漢字の第一画目の筆画を表す筆画類別コードを入力し、次に、入力する漢字の最終画の筆画を表す筆画類別コードを入力し、続いて、入力する漢字の発音を表す全てのピンイン文字を順番に入力する。この発明の有利な効果は、この入力法を通して、中国語初心者の方でも漢字を入力すると同時に、その漢字の発音を復習でき、また漢字の最初と最後の一画を記憶することで、その漢字の字形を復習でき、それによって記憶効果を高め、漢字の勉強をより早く進められるところにある。【選択図】図１【特許請求の範囲】
【請求項１】
教育に適した漢字入力方法であって、
入力する漢字の少なくとも第一画目の筆画を表す筆画類別コードまたは筆画コードを入力する段階と、入力する漢字の発音を表す全てのピンイン文字を順番に入力する段階とを含むことを特徴とする漢字入力方法。
【請求項２】
前記筆画類別コードまたは筆画コードを入力した後で前記ピンイン文字を入力する前に、さらに、入力する漢字の最後の一画の筆画を表す筆画類別コードまたは筆画コードを入力する段階を含む請求項１記載の漢字入力方法。
【請求項３】
各入力する段階が、指またはツールを用いて、対応するキーを押したり、触れたり、クリックしたり、書いたりする手順を含む請求項２記載の漢字入力方法。
【請求項４】
前記入力する段階が、多くの候補文字が出てきた場合に、候補文字に付された数字と同じ数字キーを使用して、一つの漢字を選択する手順を含む請求項３記載の漢字入力方法。
【請求項５】
前記筆画類別コードは横類筆画コード、竪類筆画コード、左はらい類筆画コード、抑え類筆画コード、折れ類筆画コードの５種類を含み、各筆画類別コードに一つのアルファベットキーを割り当て、横類筆画コードをキーＦで入力し、竪類筆画コードをキーＨで入力し、左はらい類筆画コードをキーＪで入力し、抑え類筆画コードをキーＡで入力し、折れ類筆画コードをキーＳで入力する請求項１〜４の何れか一項に記載の漢字入力方法。
【請求項６】
2011522492.tif 000026
【請求項７】
アルファベットキーのＩを漢字“一”と漢字“乙”の最終画代替コードの入力に使用する請求項６記載の漢字入力方法。
【請求項８】
前記筆画類別コードは横類筆画コード、竪類筆画コード、左はらい類筆画コード、抑え類筆画コード、右はらい類筆画コード、折れ類筆画コードの６種類を含み、各筆画類別コードに一つのアルファベットキーを割り当て、横類筆画コードをキーＦで入力し、竪類筆画コードをキーＨで入力し、左はらい類筆画コードをキーＪで入力し、抑え類筆画コードをキーＡで入力し、右はらい類筆画コードをキーＫで入力し、折れ類筆画コードをキーＳで入力する請求項１〜４の何れか一項に記載の漢字入力方法。
【請求項９】
2011522492.tif 000027
項８記載の漢字入力方法。
【請求項１０】
アルファベットキーのＩを漢字“一”と漢字“乙”の最終画代替コードの入力に使用する請求項９記載の漢字入力方法。
【請求項１１】
前記筆画類別コードは横類筆画コード、竪類筆画コード、左はらい類筆画コード、抑え類筆画コード、右はらい類筆画コード、横折れ直線類筆画コード、横折れ曲がり類筆画コード、竪折れ類筆画コード、その他の筆画コードを含み、各筆画類別コードに一つのアルファベットキーを割り当て、横類筆画コードをキーＦで入力し、竪類筆画コードをキーＨで入力し、左はらい類筆画コードをキーＪで入力し、抑え類筆画コードをキーＡで入力し、右はらい類筆画コードをキーＫで入力し、横折れ直線類筆画コードをキーＧで入力し、横折れ曲がり類筆画コードをキーＤで入力し、竪折れ類筆画コードをキーＬで入力し、その他の筆画コードをキーＳで入力する請求項１〜４の何れか一項に記載の漢字入力方法。
【請求項１２】
前記筆画類別コードは筆画毎に異なる筆画コードを含み、各筆画コードに一つのアルフ
2011522492.tif 000028
る筆画コードをそれぞれキーＦ＋１、Ｆ＋２で入力し、竪類筆画コードの竪“｜”、竪はね
2011522492.tif 000029
に対応する筆画コードをそれぞれキーＡ＋１、Ａ＋２で入力し、右はらい類筆画コードの
2011522492.tif 000030
る筆画コードをそれぞれキーＧ＋１、Ｇ＋２、Ｇ＋３、Ｇ＋４、Ｇ＋５、Ｇ＋６、Ｇ＋７
2011522492.tif 000031
曲がりはね“乙”に対応する筆画コードをそれぞれキーＤ＋１、Ｄ＋２、Ｄ＋３、Ｄ＋４、
2011522492.tif 000032
に対応する筆画コードをそれぞれキーＬ＋１、Ｌ＋２、Ｌ＋３、Ｌ＋４、Ｌ＋５、Ｌ＋６、
2011522492.tif 000033
に対応する筆画コードをそれぞれキーＳ＋１、Ｓ＋２、Ｓ＋３で入力する請求項１１記載の漢字入力方法。
【請求項１３】
アルファベットキーのＩを漢字“一”と漢字“乙”の最終画代替コードの入力に使用する請求項１２記載の漢字入力方法。
【発明の詳細な説明】
【技術分野】
【０００１】  この発明は、漢字の入力方法に関し、特に、形と音を組み合わせた漢字の入力方法に関する。
【背景技術】
【０００２】  従来技術において、コード入力方法は大体４種類ある。発音コード、字形コード、字形発音結合コード、デジタルコードである。その中でデジタルコードはあまり使われていない。発音コードの長所は学習しやすいことと、文字の規範と思考習慣に適合することであり、一方短所は、文字の重複率が高く入力速度が遅く、また読めない字は入力できないことである。字形コードの長所は重複率が低く、入力速度が速く、また、読めない字も入力できるが、短所は規則が複雑で学習難易度が高く、また文字の規範から離れ易いことである。字形発音コードは字形コードと比べ記憶難易度が下がり、また発音コードと比べ文字の重複率が低いため、コード研究者達から注目されている。
【発明の概要】
【発明が解決しようとする課題】
【０００３】  しかしながら、従来の字形発音結合コードによる入力方法は漢字を勉強する初心者のために設計されたわけではない。初心者にとっては、正確に漢字を書き、その漢字の読み方をはっきりと覚える事が最も重要である。そのため、従来技術を改良し、発音と字形を結合させ、正確に漢字を入力し、同時に使用者が入力した漢字の読み方を記憶する手助けとなる方法が求められている。【０００４】  この発明の目的は、漢字の入力を便利にし、また入力すると同時に、入力した漢字の字形と発音の記憶に役立つ漢字入力方法を提供することにある。
【課題を解決するための手段】
【０００５】  上記の目的を実現するために、この発明は教学に適した漢字入力方法を提供している。この発明の漢字入力方法は、入力しようとする漢字の少なくとも第一画目の筆画を表すコード（筆画類別コード或いは筆画コード）を入力する段階、及び、入力しようとする漢字の発音を表す全てのピンイン文字を順番に入力する段階、さらには、筆画を表すコードを入力した後でピンイン文字を入力する前に、入力しようとする漢字の最終画の筆画を表すコード（筆画類別コード或いは筆画コード）を入力する段階を含む。【０００６】  上記コードとピンイン文字の入力は、指でクリックしたり、対応するキーボードでタッチすることによって実現し、また、ツールを通してそのキーを入力したり、書いたりする形式でも可能である。【０００７】  上記第一画の筆画類別コードと最終画の筆画類別コードは、それぞれ、横類筆画コード、竪類筆画コード、左はらい類筆画コード、抑え右はらい類筆画コード、折れ類筆画コードの５種類を含む。その中で、横類筆画コードのキーはＦ、竪類筆画コードのキーはＨ、左はらい類筆画コードのキーはＪ、抑え右はらい類筆画コードのキーはＡ、折れ類筆画コードのキーはＳに設定できる。この場合、第一画及び最終画の筆画類別コードは、全て一つのアルファベットキーで入力される。【０００８】
2011522492.tif 000002
【０００９】  また、第一画目の筆画類別コードと最終画の筆画類別コードに、それぞれ、横類筆画コード、竪類筆画コード、左はらい類筆画コード、抑え類筆画コード、右はらい類筆画コード、折れ類筆画コードの６種類を含ませることもできる。その中で、横類筆画コードのキーはＦ、竪類筆画コードのキーはＨ、左はらい類筆画コードのキーはＪ、抑え類筆画コードのキーはＡ、右はらい類筆画コードのキーはＫ、折れ類筆画コードのキーはＳに設定できる。この場合、第一画及び最終画の筆画類別コードは、全て一つのアルファベットキーで入力される。【００１０】
2011522492.tif 000003
2011522492.tif 000004
【００１１】  さらに、第一画の筆画類別コードと最終画の筆画類別コードに、それぞれ、横類筆画コード、竪類筆画コード、左はらい類筆画コード、抑え類筆画コード、右はらい類筆画コード、横折れ直線類筆画コード、横折れ曲がり類筆画コード、竪折れ類筆画コード、その他の筆画コードの９種類を含ませることも可能である。その中で、横類筆画コードのキーはＦ、竪類筆画コードのキーはＨ、左はらい類筆画コードのキーはＪ、抑え類筆画コードのキーはＡ、右はらい類筆画コードのキーはＫ、横折れ直線類筆画コードのキーはＧ、横折れ曲がり類筆画コードのキーはＤ、竪折れ類筆画コードのキーはＬ、その他の筆画コードのキーはＳに設定できる。この場合、第一画及び最終画の筆画類別コードは、全て一つのアルファベットキーで入力される。【００１２】  或いは、筆画類別コードに含まれる全ての筆画コードを一つのアルファベットキーと一つの数字キーの組合せによって入力することもできる。詳しくは、横類筆画が横“一”と上
2011522492.tif 000005
を含み、それぞれの筆画コードをキーＡ＋１、Ａ＋２で入力する。右はらい類筆画は右は
2011522492.tif 000006
の筆画コードをキーＧ＋１、Ｇ＋２、Ｇ＋３、Ｇ＋４、Ｇ＋５、Ｇ＋６、Ｇ＋７で入力す
2011522492.tif 000007
を含み、それぞれの筆画コードをＤ＋１、Ｄ＋２、Ｄ＋３、Ｄ＋４、Ｄ＋５、Ｄ＋６、Ｄ
2011522492.tif 000008
ドをＬ＋１、Ｌ＋２、Ｌ＋３、Ｌ＋４、Ｌ＋５、Ｌ＋６、Ｌ＋７で入力する。その他の筆
2011522492.tif 000009
１、Ｓ＋２、Ｓ＋３で入力する。【００１３】  コード入力に際しては、複数の文字候補が出てきた場合は、各文字候補に付された数字と対応する数字キーを押すことで、入力しようとする一つの漢字を選択することができる。
【発明の効果】
【００１４】  この発明の漢字入力方法によれば、当該入力法を通じて、中国語初心者の方でも漢字を入力すると同時に、その漢字の発音を復習でき、また漢字の最初と最後の筆画を記憶することでその漢字の字形を復習することもでき、それによって記憶効果を高め、漢字をより早く習得できるという効果がある。
【図面の簡単な説明】
【００１５】
【図１】  この発明を具体化した第一実施形態の漢字入力方法において用いられる筆画類別コードとキーの対照表を示す図である。
【図２】  この発明を具体化した第二実施形態の漢字入力方法において用いられる筆画類別コードとキーの対照表を示す図である。
【図３】  この発明を具体化した第三実施形態の漢字入力方法において用いられる筆画類別コードとキーの対照表を示す図である。
【図４】  この発明を具体化した第四実施形態の漢字入力方法において用いられる筆画類別コードとキーの対照表を示す図である。
【図５】  図４の対照表の後半部を示す図である。
【図６】  この発明の漢字入力方法において用いられる入力手段としてパソコンキーボードを例示する図である。
【図７】  この発明の漢字入力方法において用いられる入力手段として携帯電話キーを例示する図である。
【発明を実施するための形態】
【００１６】  この発明は《中国語ピンイン方案》の２６のピンイン文字を採用している。各ピンイン文字は、英文キーボードの２６のアルファベットに対応している。もう一度、漢字の筆画を五種類に分けてみる。即ち、横類筆画、竪類筆画、左はらい類筆画、抑え類筆画、折れ類筆画である。これらの筆画を類別して入力するためのコードを筆画の“類別コード”と呼ぶ。各コードには、一般の英文キーボードの５つのアルファベットキーを自由に設定することができる。一つの有効的な設定方法としては、横類筆画コードにＦのキー、竪類筆画コードにＨのキー、左はらい類筆画コードにＪのキー、抑え類筆画コードにＡのキー、折れ類筆画コードにＳのキーを、それぞれ設定できる。図１は五種類の筆画類別コードと対応キーとの関係を示している。
【００１７】
2011522492.tif 000010
2011522492.tif 000011
が含まれる。
2011522492.tif 000012
【００１８】  また、漢字の筆画を六種類に分けることもできる。即ち、図２に示すように、横類筆画、竪類筆画、左はらい類筆画、抑え類筆画、右はらい筆画、折れ類筆画である。これら六つの筆画類別コードには、一般の英文キーボードの６つのアルファベットキーを自由に設定することができる。一つの有効的な設定方法としては、横類筆画コードにＦのキー、竪類筆画コードにＨのキー、左はらい類筆画コードにＪのキー、抑え類筆画コードにＡのキー、右はらい類筆画コードにＫのキー、折れ類筆画コードにＳのキーを、それぞれ設定できる。図２は六種類の筆画類別コードと対応キーとの関係を示している。
【００１９】
2011522492.tif 000013
2011522492.tif 000014
【００２０】  或いは、漢字の筆画を九種類に分けることもできる。即ち、図３に示すように、横類筆画、竪類筆画、左はらい類筆画、抑え類筆画、右はらい類筆画、横折れ直線類筆画、横折れ曲がり類筆画、竪折れ類筆画、その他の筆画である。この九つの筆画類別コードには、一般の英文キーボードの９つのアルファベットキーを自由に設定することができる。一つの有効的な設定方法としては、横類筆画コードにＦのキー、竪類筆画コードにＨのキー、左はらい類筆画コードにＪのキー、抑え類筆画コードにＡのキー、右はらい類筆画コードにＫのキー、横折れ直線類筆画コードにＧのキー、横折れ曲がり類筆画コードにＤのキー、竪折れ類筆画コードにＬのキー、その他類の筆画コードにＳのキーを、それぞれ設定できる。図３は九種類の筆画類別コードと入力キーとの対応関係を示している。
【００２１】  上記の九種類の筆画は以下の方式でさらに細分化し、３５種類の終極筆画に分けることができる。各終極筆画の筆画コードは、その筆画コードが属する筆画類別コードに、順序をつけるための数字を加えたものである。図４及び図５は、３５種類の筆画類別コードと入力キーとの対応関係を示している。
【００２２】
2011522492.tif 000015
キーは、それぞれＦ＋１、Ｆ＋２である。
2011522492.tif 000016
れＨ＋１、Ｈ＋２である。
2011522492.tif 000017
筆画コードに対応するキーは、それぞれＪ＋１、Ｊ＋２、Ｊ＋３である。
2011522492.tif 000018
は、それぞれＡ＋１、Ａ＋２である。
2011522492.tif 000019
するキーは、それぞれＫ＋１、Ｋ＋２である。
2011522492.tif 000020
ドに対応するキーは、それぞれＧ＋１、Ｇ＋２、Ｇ＋３、Ｇ＋４、Ｇ＋５、Ｇ＋６、Ｇ＋７である。
【００２３】
2011522492.tif 000021
折れ曲がりはね“乙”が含まれ、その筆画コードに対応するキーは、それぞれＤ＋１、Ｄ＋２、Ｄ＋３、Ｄ＋４、Ｄ＋５、Ｄ＋６、Ｄ＋７である。
2011522492.tif 000022
るキーは、それぞれＬ＋１、Ｌ＋２、Ｌ＋３、Ｌ＋４、Ｌ＋５、Ｌ＋６、Ｌ＋７である。
2011522492.tif 000023
に対応するキーは、それぞれＳ＋１、Ｓ＋２、Ｓ＋３である。
【００２４】  この発明による漢字入力方法は、以下の実施例で述べる入力法の中から自由に一つを選ぶことができる。
【実施例１】
【００２５】  実施例１の５部類第一画最終画ピンイン全入力法は、
入力する漢字の第一画に対応する筆画類別コード（一文字）を入力する段階と、
入力する漢字の最終画に対応する筆画類別コード（一文字）を入力する段階と、
入力する漢字を構成するピンインの全ての文字を順番に入力する段階と、
からなる。【０００２６】
2011522492.tif 000024
であり、発音を表す全てのピンイン文字は“Ｚ”、“Ｈ”、“Ａ”、“Ｎ”、“Ｇ”である。このため、漢字「張」の入力に際しては、第一画に対応するキー“Ｓ”と最終画に対応するキー“Ａ”（図１参照）に続けて、ピンインに対応するキー“Ｚ”、“Ｈ”、“Ａ”、“Ｎ”、“Ｇ”を順番に押す。
【実施例２】
【００２７】  実施例２の５部類第一画ピンイン全入力法は、
入力する漢字の第一画に対応する筆画類別コード（一文字）を入力する段階と、
入力する漢字を構成するピンインの全ての文字を順番に入力する段階と、
からなる。【００２８】  例えば、漢字「張」を入力しようとする場合は、第一画に対応するキー“Ｓ”（図１参照）に続けて、ピンインに対応するキー“Ｚ”、“Ｈ”、“Ａ”、“Ｎ”、“Ｇ”を順番に押す。
【実施例３】
【００２９】  実施例３の６部類第一画最終画ピンイン全入力法は、
入力する漢字の第一画に対応する筆画類別コード（一文字）を入力する段階と、
入力する漢字の最終画に対応する筆画類別コード（一文字）を入力する段階と、
入力する漢字を構成するピンインの全ての文字を順番に入力する段階と、
からなる。【００３０】  例えば、漢字「張」を入力しようとする場合は、第一画に対応するキー“Ｓ”と最終画に対応するキー“Ｋ”（図２参照）に続けて、ピンインに対応するキー“Ｚ”、“Ｈ”、“Ａ”、“Ｎ”、“Ｇ”を順番に押す。
【実施例４】
【００３１】  実施例４の６部類第一画ピンイン全入力法は、
入力する漢字の第一画に対応する筆画類別コード（一文字）を入力する段階と、
入力する漢字を構成するピンインの全ての文字を順番に入力する段階と、
からなる。【００３２】  例えば、漢字「張」を入力しようとする場合は、第一画に対応するキー“Ｓ”（図２参照）に続けて、ピンインに対応するキー“Ｚ”、“Ｈ”、“Ａ”、“Ｎ”、“Ｇ”を順番に押す。
【実施例５】
【００３３】  実施例５の９部類第一画最終画ピンイン全入力法は、
入力する漢字の第一画に対応する筆画類別コード（一文字）を入力する段階と、
入力する漢字の最終画に対応する筆画類別コード（一文字）を入力する段階と、
入力する漢字を構成するピンインの全ての文字を順番に入力する段階と、
からなる。【００３４】  例えば、漢字「張」を入力しようとする場合は、第一画に対応するキー“Ｇ”と最終画に対応するキー“Ｋ”（図３参照）に続けて、ピンインに対応するキー“Ｚ”、“Ｈ”、“Ａ”、“Ｎ”、“Ｇ”を順番に押す。
【実施例６】
【００３５】  実施例６の９部類第一画ピンイン全入力法は、
入力する漢字の第一画に対応する筆画類別コード（一文字）を入力する段階と、
入力する漢字を構成するピンインの全ての文字を順番に入力する段階と、
からなる。【００３６】  例えば、漢字「張」を入力しようとする場合は、第一画に対応するキー“Ｇ”（図３参照）に続けて、ピンインに対応するキー“Ｚ”、“Ｈ”、“Ａ”、“Ｎ”、“Ｇ”を順番に押す。
【実施例７】
【００３７】  実施例７の３５筆画第一画最終画ピンイン全入力法は、
入力する漢字の第一画に対応する筆画類別コード（一文字＋数字一つ）を入力する段階と、
入力する漢字の最終画に対応する筆画類別コード（一文字＋数字一つ）を入力する段階と、
入力する漢字を構成するピンインの全ての文字を順番に入力する段階と、
からなる。【００３８】  例えば、漢字「張」を入力しようとする場合は、第一画に対応するキー“Ｇ”、“１”と最終画に対応するキー“Ｋ”、“１”（図４参照）に続けて、ピンインに対応するキー“Ｚ”、“Ｈ”、“Ａ”、“Ｎ”、“Ｇ”を順番に押す。
【実施例８】
【００３９】  実施例８の３５筆画第一画ピンイン全入力法は、
入力する漢字の第一画に対応する筆画類別コード（一文字＋数字一つ）を入力する段階と、
入力する漢字を構成するピンインの全ての文字を順番に入力する段階と、
からなる。【００４０】  例えば、漢字「張」を入力しようとする場合は、第一画に対応するキー“Ｇ”、“１”（図４参照）に続けて、ピンインに対応するキー“Ｚ”、“Ｈ”、“Ａ”、“Ｎ”、“Ｇ”を順番に押す。【００４１】
2011522492.tif 000025
漢字の中には二つ、一画だけの文字“一”と“乙”がある。これらには最終画がないため、この発明では、特にこの二つの漢字のため“特別重複コード”を定義した。つまり、アルファベットの「Ｉ」を“一”と“乙”の最終画代替コードとして使用する。【００４２】  これにより、漢字“一”は、実施例１の５部類第一画最終画ピンイン全入力法により、第一画を“Ｆ”、最終画を“Ｉ”、ピンインを“ｙ”、“ｉ”とし、順番に“ＦＩｙｉ”と入力できる。同様に、漢字“一”は、実施例３の６部類第一画最終画ピンイン全入力法でも“ＦＩｙｉ”、実施例５の９部類第一画最終画ピンイン全入力法でも“ＦＩｙｉ”、実施例７の３５筆画第一画最終画ピンイン全入力法なら“Ｆ１ＩＩｙｉ”と入力できる。【００４３】  漢字“乙”は、実施例１の５部類第一画最終画ピンイン全入力法で“ＳＩｙｉ”、実施例３の６部類第一画最終画ピンイン全入力法でも“ＳＩｙｉ”、９部類第一画最終画ピンイン全入力法なら“ＤＩｙｉ”、実施例７の３５筆画第一画最終画ピンイン全入力法なら“Ｄ７ＩＩｙｉ”と入力できる。【００４４】  注目すべきは、この発明の形と音の漢字入力方法は、簡体字が入力できるだけでなく、繁体字も入力出来る事である。繁体字は簡体字と発音が同じであるため、その違いは字形の差異のみである。そのため、入力上ただ第一画筆画コード、第一画筆画類別コード、最終画筆画コード、最終画筆画類別コードの違いがあるのみである。【００４５】  図６は、この発明の漢字入力方法を実施するための入力手段として標準１０４キーボードを例示する。このキーボードは、標準的な文字キー、数字キー、機能キーを含むキー配列を備え、パソコン等のコンピュータに接続される。しかしながら、この分野に携わる当業者であれば、他のキー配列や定義を持つキーボードを採用することは容易である。その他、数字キー、携帯電話キー、直接画面に触れるタッチパネル式のキーボードなど、各種の入力手段を使用できる。コードの入力には、対応するキーを指で押したり、触れたり、或いは、ツールを用いてキーを押したり、クリックしたり、キーと同じ文字を書いたりするなど、種々の入力方式を採用できる。【００４６】  図７は、この発明の漢字入力方法を実施するための入力手段として携帯電話のキー配列を例示する。携帯電話のキーボード上に配列された１から９までの数字キーに、例えば、図３に示す９種類の筆画対応キーＦ、Ｈ、Ｊ、Ａ、Ｋ、Ｇ、Ｄ、Ｌ、Ｓを割り当てることで、携帯電話を用いてこの発明の漢字入力方法を容易に実施することができる。【００４７】  前述したこの発明の具体的な実施形態は、例を挙げて本発明を詳細に説明することが目的である。当然、本発明の全ての実施形態を開示したものではなく、本発明を既述の実施形態や特定の実施例に限定する意図もない。そのため、上記の内容はあくまで例示であって、制限するためのものではない。この分野の技術者であれば、上記実施形態の説明に基づいて多くの修正や変更を導き出せるだろう。それぞれの実施形態では、本発明の原理及び最良の応用方法が最も分かり易く解説されている。従って、当業者は、本発明の所期の目的、特殊な用途、種々の実施例、或いは変更例の適否について容易に理解できるはずである。本発明の効力が及ぶ範囲は、特許請求の範囲に記載された請求項によって限定される。特許請求の範囲の中で、特段の限定を付したもの以外、全ての用語は最も広い意味で解釈されるべきである。この分野の一般的な技術者であれば、請求項が定義する本発明の範囲から逸脱しないで、上記実施例を多様に変化させることができる。【００４８】  その他、下記の請求項が明確にある要素や組み合わせについて書かれているかどうかに関わらず、現在公開されているこれらの要素及び組み合わせに対して公知の領域であるとする意図はない。
【図１】
2011522492.tif 000034
【図２】
2011522492.tif 000035
【図３】
2011522492.tif 000036
【図４】
2011522492.tif 000037
【図５】
2011522492.tif 000038
【図６】
2011522492.tif 000039
【図７】
2011522492.tif 000040
【国際調査報告】
2011522492.tif 000041
2011522492.tif 000042
2011522492.tif 000043
2011522492.tif 000044